(57)【要約】      （修正有）【課題】筆記方向を視認することができるペン先を有する筆記具に関し、更に詳しくは、筆記具本体からのインクを誘導する際のインク流出量を安定化させることができるペン先を有する筆記具を提供する。【解決手段】筆記具本体１０から供給されるインクを誘導し、かつ筆記方向を視認することができる視認部を有するペン先２０を備えた筆記具Ａであって、ペン先２０は、少なくとも筆記部３０と、視認部を有する保持体４０と、筆記具本体１０のインクを筆記部３０へ誘導するインク誘導芯２５とにより構成され、インク誘導芯２５は保持体４０を介して筆記部３０に形成された挿入穴に当接していることを特徴とする。【選択図】図１
2019206151.tif 000002
【特許請求の範囲】
【請求項１】
筆記具本体から供給されるインクを誘導し、かつ筆記方向を視認することができる視認部を有するペン先を備えた筆記具であって、前記ペン先は、少なくとも筆記部と、視認部を有する保持体と、筆記具本体のインクを筆記部へ誘導するインク誘導芯とにより構成され、該インク誘導芯は保持体を介して筆記部に形成された挿入穴に当接していることを特徴とする筆記具。
【請求項２】
インク誘導芯の先端は尖らせてあることを特徴とする請求項１記載の筆記具。
【請求項３】
筆記部のインク誘導芯を挿入する挿入穴は、インク誘導芯の尖端の一部または全部を内包することを特徴とする請求項１又は２に記載の筆記具。
【請求項４】
インク誘導芯は、筆記部の非中心位置で、かつ、保持体内部に配置されていることを特徴とする請求項１〜３の何れか一つに記載の筆記具。
【発明の詳細な説明】
【技術分野】
【０００１】
本発明は、筆記方向を視認することができるペン先を有する筆記具に関し、更に詳しくは、筆記具本体からのインクを誘導する際のインク流出量を安定化させることができるペン先を有する筆記具に関する。
【背景技術】
【０００２】
従来、ペイントマーカー、アンダーラインマーカー等と称される筆記具のペン先は、幅広のペン芯を備えることにより幅広の線引きを可能にしたものであって、マーキングの視認性や作業性に優れているため幅広く使用されている。
ラインマーカー等の筆記具におけるペン先は、一般に合成樹脂繊維等を棒状等に集束したものや、高分子の焼結体などの多孔質部材に毛細管作用を付与し、これにより筆記具本体となる軸体から供給されるインクをペン先に導出することにより筆記可能としたものである。
【０００３】
また、蛍光インクを筆記具本体となる軸体内に収容した筆記具の普及にともない、幅広の線引きを可能とした多くの構造、形状のペン先を用いた筆記具が市販されたことにより、使用者の用途に応じた筆記具の広い選択が可能となり、その作業性も快適なものとなっている。
【０００４】
本出願人は、筆記具本体となる軸体内のインク吸蔵体（中綿）から供給されるインクを誘導し、かつ保留できるペン先を有する筆記具において、ペン先に、筆記方向を視認できる視認部（可視部）を備えた筆記具を開示している（例えば、特許文献１参照）。
このタイプの筆記具のペン先は、筆記部を視認することができるため、引き終わりの止めたい部分でピタッと止めることができ、引きすぎや、はみ出しを防ぐことができるものである。このペン先の具体的な構成は、インクを誘導するインク誘導部と筆記部からなる焼結芯と、該焼結芯を保持する保持体、及び焼結芯と保持体とを固定する接着剤とから構成されている。
【０００５】
しかしながら、上記特許文献１におけるペン先は、インク誘導部と筆記部とが一体となった形状であり、その材質はポリエチレンなどの熱可塑性樹脂粒子を焼結した焼結体が使われているが、その形状が複雑であるため、保持体の長さ分、インク吸蔵体からのインク誘導が必要で有り、また、インク流路が蛇行しているため、気孔率に対してインク流出性が若干低いという課題がある。
そのため、インク誘導部を太く設計する必要があるが、インク誘導部を太くすると、太くなったインク誘導部によって可視部が阻害され、ペン先全体に対する視認部の有効面積が低くなるという課題を生じ、また、筆記具本体からのインクを誘導する際のインク流出量の安定化が損なわれるなど課題がある。
【０００６】
一方、上記構造以外の筆記方向を視認することができる視認部を有するペン先の先行技術としては、例えば、外装体内から突出したペン先部材の被筆記面との接触部の後部に被筆記面視認用の空間部を形成すると共に、被筆記面との接触部の後部のインク通路の断面積を被筆記面との接触部の面積以上とした筆記具（例えば、特許文献２参照）などが知られている。
しかしながら、上記特許文献２に記載の筆記具では、特許文献１と同様に、インクの流出性を良くするためにインク通路を太くする必要があるが、これによって視認部が阻害され、ペン先全体に対する視認部の有効面積が低くなるという課題を生じ、また、筆記具本体からのインクを誘導する際のインク流出量の安定化が損なわれるなど課題がある。
【０００７】
他方、筆記部の構造を特定構造とし、インクの流出性を向上させたペン先等としては、例えば、１）２種類以上の積層構造からなるペン芯であって、先端部が熱可塑性樹脂の粉体の焼結体からなり、軸部がその内部に長手方向にインク誘導孔を形成したことを特徴とする塗布具用ペン芯（例えば、特許文献３参照）、２）塗布に適した尖端形状を有する筒状体に形成し、空隙率約７５〜８５％、特に８０％前後とした、超高分子量ポリエチレン粉体を焼結してなる、後方に開放された穴部を有する穂先本体と、該穂先本体の内部に内臓した中綿とからなることを特徴とする穂先体（例えば、特許文献４参照）、３）無機繊維により板状に焼結し、この基体をキャップ状に成形してなる無機繊維製ペン先（例えば、特許文献５参照）などが知られている。
しかしながら、これらのペン先を有する筆記具等は、筆記方向を視認することができる視認部を有するものでなく、また、視認部の有効面積を損なうことなく筆記具本体からのインクを誘導する際のインク流出量を安定化させることなどの記載もなく、本発明とはその課題、技術思想が相違するものである。
【先行技術文献】
【特許文献】
【０００８】
【特許文献１】特開２０００−５２６８２号公報（特許請求の範囲、図１等）
【特許文献２】特開２００６−１０３０１１号公報（特許請求の範囲、図１、図２）
【特許文献３】特開２０１４−５０９７７号公報（特許請求の範囲、図１）
【特許文献４】特開２０１４−８３６９９号公報（特許請求の範囲、図１〜図４）
【特許文献５】特開昭６３−２１６７９６号公報（特許請求の範囲、図１〜図５）
【発明の概要】
【発明が解決しようとする課題】
【０００９】
本発明は、上記従来技術の課題などに鑑み、これを解消しようとするものであり、筆記方向を視認することができるペン先を有する筆記具において、筆記具本体からのインクを誘導する際のインク流出量を高度に安定化させることができる筆記具を提供することを目的とする。
【課題を解決するための手段】
【００１０】
本発明者らは、上記従来技術の課題等を解決するために鋭意検討した結果、筆記具本体から供給されるインクを誘導し、かつ筆記方向を視認することができる視認部を有するペン先を備えた筆記具であって、上記ペン先を特定構造などとすることにより、上記目的の筆記具が得られることを見出し、本発明を完成するに至ったのである。
【００１１】
すなわち、本発明の筆記具は、筆記具本体から供給されるインクを誘導し、かつ筆記方向を視認することができる視認部を有するペン先を備えた筆記具であって、前記ペン先は、少なくとも筆記部と、視認部を有する保持体と、筆記具本体のインクを筆記部へ誘導するインク誘導芯とにより構成され、該インク誘導芯は保持体を介して筆記部に形成された挿入穴に当接していることを特徴とする筆記具。
インク誘導芯の先端は尖らせてあることが好ましい。
筆記部のインク誘導芯を挿入する挿入穴は、インク誘導芯の尖端の一部または全部を内包することが好ましい。
インク誘導芯は、筆記部の非中心位置で、かつ、保持体内部に配置されていることが好ましい。
【発明の効果】
【００１２】
本発明によれば、筆記方向を視認することができると共に、筆記具本体からのインクを誘導する際のインク流出量を高度に安定化させることができる筆記具が提供される。
【図面の簡単な説明】
【００１３】
【図１】本発明の筆記具の実施形態の一例を示す図面であり、（ａ）は正面図、（ｂ）は正面視の縦断面図である。
【図２】（ａ）は図１の筆記具からキャップを取り外した平面図、（ｂ）は（ａ）の正面図、（ｃ）は、（ａ）の縦断面図である。
【図３】本発明の筆記具に用いるペン先の一例を示す各図面であり、（ａ）は前方側から見た斜視図、（ｂ）は後方側から見た斜視図である。
【図４】本発明の筆記具に用いるペン先の一例を示す各図面であり、（ａ）は平面図、（ｂ）は左側面図、（ｃ）は正面図、（ｄ）は右側面図、（ｅ）は中央縦断面図、（ｆ）は底面図である。
【図５】本発明の筆記具に用いるペン先の保持体の一例を示す各図面であり、（ａ）は平面図、（ｂ）は左側面図、（ｃ）は正面図、（ｄ）は右側面図、（ｅ）は中央縦断面図、（ｆ）は前方側から見た斜視図、（ｇ）は後方側から見た斜視図、（ｈ）は底面図である。
【図６】本発明の筆記具に用いるペン先の筆記部の一例を示す各図面であり、（ａ）は平面図、（ｂ）は左側面図、（ｃ）は正面図、（ｄ）は右側面図、（ｅ）は中央縦断面図、（ｆ）は後方側から見た斜視図、（ｇ）は底面部を後方側から見た斜視図、（ｈ）は底面図である。
【発明を実施するための形態】
【００１４】
以下に、本発明の実施形態について図面を参照しながら詳しく説明する。
図１は、本発明の筆記具の実施形態の一例を示す各図面、図２は、図１の筆記具のキャップを取り外した形態の一例を示す各図面、図３及び図４は、図１の筆記具に用いるペン先の一例を示す各図面、図５は、ペン先の保持体の一例を示す各図面、図６はペン先の筆記部の一例を示す各図面である。
本実施形態の筆記具Ａは、図１及び図２に示すように、両側に筆記具本体１０のそれぞれのインク収容室１１、１２から供給される２種、本実施形態では異なる色（例えば、赤色、黄色）のインクをそれぞれ誘導し、かつ筆記方向を視認することができる視認部を有するペン先２０、２０を備えた両頭式の筆記具（マーキングペン）となっている。
また、筆記具本体１０の両側には、着脱自在となるペン先２０、２０を保護するキャップ６０、キャップ７０とが取り付けられている。
【００１５】
筆記具本体（軸筒）１０は、例えば、熱可塑性樹脂、熱硬化性樹脂等で形成されるものであり、筒状体から構成され、中央部の隔壁１３により両側にインク収容室１１、１２が設けられており、２種の筆記具用インクをそれぞれ含浸したインク吸蔵体１５、１６を収容すると共に、両端の開口部には、筆記方向を視認することができる視認部を有するペン先２０、２０を固着する先軸１７、１８が取り付けられている。
この隔壁１３によりインク収容室１１、１２を有する筆記具本体１０は、例えば、ポリプロピレン等からなる樹脂を使用して成形され、筆記具本体（軸筒）として機能する。筆記具本体１０は不透明又は透明（及び半透明）に成形されるが、外観上や実用上の観点からいずれを採用しても良い。
【００１６】
インク吸蔵体１５、１６は、水性インク、油性インクなどの筆記具用インクを含浸したものであり、例えば、天然繊維、獣毛繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種又は２種以上の組み合わせからなる繊維束、フェルト等の繊維束を加工したもの、また、スポンジ、樹脂粒子、焼結体等の多孔体を含むものである。このインク吸蔵体１５、１６は、筆記具本体１０のそれぞれのインク収容室１１、１２内に収容保持されている。本実施形態のインク吸蔵体１５、１６には、異なる色（例えば、赤色、黄色）のインク組成物を吸蔵している。
【００１７】
インク吸蔵体１５、１６に吸蔵する筆記具用インク組成物は、特に限定されず、筆記具の用途等に応じて、水性インク、油性インク、熱変色性インクなどの好適な配合処方とすることができ、例えば、アンダーラインペン等ではインクに蛍光色素、例えば、ベーシックバイオレット１１、ベーシックイエロー４０、ベーシックレッド１、熱変色性マイクロカプセル顔料などを含有させることできる。
好ましい筆記具用インク組成物としては、インク供給を良好とする点、筆記部（ペン先）の乾燥を抑えながらも、描線の乾燥性、インクの低温安定性に優れ、描線に滲みや裏抜けのない機能を発現することなどの点から、好ましくは、着色剤と、トリメチルグリシンと、ペンタエリスリトールと、１０質量％以下の水溶性有機溶剤と、水とを少なくとも含有する筆記具用インク組成物の使用が望ましい。
【００１８】
用いることができる着色剤としては、水に溶解もしくは分散する染料、酸化チタン等の従来公知の無機系および有機顔料系、顔料を含有した樹脂粒子顔料、樹脂エマルションを染料で着色した疑似顔料、蛍光顔料、白色系プラスチック顔料、シリカや雲母を基材とし表層に酸化鉄や酸化チタンなどを多層コーティングした顔料等を本発明の効果を損なわない範囲で使用することができる。
染料としては、例えば、エオシン、フオキシン、ウォーターイエロー＃６−Ｃ、アシッドレッド、ウォーターブルー＃１０５、ブリリアントブルーＦＣＦ、ニグロシンＮＢ等の酸性染料；ダイレクトブラック１５４、ダイレクトスカイブルー５Ｂ、バイオレットＢ００Ｂ等の直接染料；ローダミン、メチルバイオレット等の塩基性染料、蛍光染料などが挙げられる。
【００１９】
無機系顔料としては、例えば、アゾレーキ、不溶性アゾ顔料、キレートアゾ顔料、フタロシアニン顔料、ペリレンおよびペリノン顔料、ニトロソ顔料などが挙げられる。より具体的には、カーボンブラック、チタンブラック、亜鉛華、べんがら、アルミニウム、酸化クロム、鉄黒、コバルトブルー、酸化鉄黄、ビリジアン、硫化亜鉛、リトポン、カドミウムエロー、朱、カドミウムレッド、黄鉛、モリブデードオレンジ、ジンククロメート、ストロンチウムクロメート、ホワイトカーボン、クレー、タルク、群青、沈降性硫酸バリウム、バライト粉、炭酸カルシウム、鉛白、紺白、紺青、マンガンバイオレット、アルミニウム粉、真鍮粉等の無機顔料、Ｃ．Ｉ．ピグメントブルー１７、Ｃ．Ｉ．ピグメントブルー１５、Ｃ．Ｉ．ピグメントブルー１７、Ｃ．Ｉ．ピグメントブルー２７、Ｃ．Ｉ．ピグメントレッド５、Ｃ．Ｉ．ピグメントレッド２２、Ｃ．Ｉ．ピグメントレッド３８、Ｃ．Ｉ．ピグメントレッド４８、Ｃ．Ｉ．ピグメントレッド４９、Ｃ．Ｉ．ピグメントレッド５３、Ｃ．Ｉ．ピグメントレッド５７、Ｃ．Ｉ．ピグメントレッド８１、Ｃ．Ｉ．ピグメントレッド１０４、Ｃ．Ｉ．ピグメントレッド１４６、Ｃ．Ｉ．ピグメントレッド２４５、Ｃ．Ｉ．ピグメントイエロー１、Ｃ．Ｉ．ピグメントイエロー３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１７、Ｃ．Ｉ．ピグメントイエロー３４、Ｃ．Ｉ．ピグメントイエロー５５、Ｃ．Ｉ．ピグメントイエロー７４、Ｃ．Ｉ．ピグメントイエロー９５、Ｃ．Ｉ．ピグメントイエロー１６６、Ｃ．Ｉ．ピグメントイエロー１６７、Ｃ．Ｉ．ピグメントオレンジ５、Ｃ．Ｉ．ピグメントオレンジ１３、Ｃ．Ｉ．ピグメントオレンジ１６、Ｃ．Ｉ．ピグメントバイオレット１、Ｃ．Ｉ．ピグメントバイオレット３、Ｃ．Ｉ．ピグメントバイオレット１９、Ｃ．Ｉ．ピグメントバイオレット２３、Ｃ．Ｉ．ピグメントバイオレット５０、Ｃ．Ｉ．ピグメントグリーン７等が挙げられる。
蛍光顔料としては、従来公知のものが適宜使用でき、例えば、硫化亜鉛、ケイ酸亜鉛、硫化カドミウム、硫化ストロンチウム、タングステン酸カルシウム等の無機蛍光顔料や高分子化合物を染色した有機蛍光顔料が挙げられる。
有機蛍光顔料としては、具体的には、ＮＫＷシリーズ（日本蛍光化学社製）、シンロイヒカラーベースＳＷシリーズ、ＳＦシリーズ（シンロイヒ社製）、ビクトリアイエローＧ−２０などのビクトリアシリーズ（御国色素社製）等が挙げられる。
【００２０】
これらの着色剤は、一種もしくは二種以上を混合して使用することができる。
これらの着色剤の含有量は、インク組成物全量に対して、０．１〜６０質量％（以下、「質量％」を単に「％」という）で適宜調整することが可能である。
【００２１】
用いるトリメチルグリシン〔別名：グリシンベタイン、（ＣＨ３）２Ｎ＋（ＣＨ３）ＣＨ２ＣＯＯ−〕は、保湿剤等として作用せしめるために用いるものであり、筆記具用水性インク組成中に配合してもインキ性能の低下等を招くことがなく、ペン先の耐乾燥性、描線の乾燥性、インクの低温安定性を発揮せしめるものである。
【００２２】
このトリメチルグリシンの含有量は、インク組成物全量に対して、０．５〜５０％、好ましくは、１〜１５％、より好ましくは、２〜１０％とすることが望ましい。
この含有量が０．５％未満であると、ペン先の乾燥抑制効果が充分でなく、一方、５０％超過であると、効果はそれほど変わらず、むしろ粘度増加による筆記性能、保存安定性の低下をもたらすこととなる。
【００２３】
用いるペンタエリスリトール〔Ｃ（ＣＨ２ＯＨ）４〕は、保湿剤等として作用せしめるために用いるものであり、上記トリメチルグリシンとの併用により、各単独使用よりも、相乗的に作用して、ペン先の乾燥を抑えながらも、従来にない描線の乾燥性、インクの低温安定性に優れ、描線に滲みや裏抜けのない優れた性能を発揮せしめるものとなる。
【００２４】
このペンタエリスリトールの含有量は、インク組成物全量に対して、０．５〜８％、好ましくは、２〜５％とすることが望ましい。
この含有量の含有量が０．５％未満であると、ペン先の乾燥抑制効果が充分でなく、また、トリメチルグリシンとの相乗作用を発揮することができず、一方、８％超過であると、トリメチルグリシンとの相乗作用の効果はそれほど変わらず、低温下における析出や、保存安定性の低下をもたらすこととなる。
【００２５】
用いる水溶性有機溶剤としては、例えば、エタノール、イソプロピルアルコール、ｎ−ブチルアルコール、エチレングリコール、ジエチレングリコールなどのアルコール類、ホルムアミドおよびその誘導体などのアミド類、ジメチルスルホキシドなどのスルホキシド類など、エチレングリコールモノメチルエーテル、エチレングリコールモノブチルエーテル、エチレングリコールジブチルエーテル、ジエチレングリコールモノメチルエーテル、ジエチレングリコールモノエチルエーテル、ジエチレングリコールモノブチルエーテル、ジエチレングリコールジエチルエーテル、ジエチレングリコールジブチルエーテル、プロピレングリコールメチルエーテル、ジプロピレングリコールメチルエーテル、トリプロピレングリコールメチルエーテル、プロピレングリコールブチルエーテル、ジプロピレングリコールｎ−ブチルエーテル、トリプロピレングリコールｎ−ブチルエーテル、プロピレングリコールフェニルエーテル、エチレングリコールモノエチルエーテル、エチレングリコールモノヘキシルエーテル、エチレングリコールモノフェニルエーテル、エチレングリコールモノ−２−エチルブチルエーテル、プロピレングリコールエチルエーテル、プロピレングリコールターシャリーブチルエーテルなどのエーテル類が挙げられ、これらは一種もしくは二種以上を混合して使用することができる。
これらの水溶性有機溶剤の含有量は、インク組成物全量に対して、１０％以下、好ましくは、７％以下、より好ましくは５％以下とすることが望ましい。
これらの水溶性有機溶剤の含有量を１０％以下とすることにより、描線乾燥性に優れた機能を発揮せしめるものとなる。
【００２６】
本発明の筆記具に用いる筆記具用インク組成物は、上記各成分の他、残部（溶媒）として水（精製水、蒸留水、イオン交換水、純水など）で調製され、上記各成分以外にも、例えば、界面活性剤、防腐剤や防菌剤、ｐＨ調整剤、水溶性樹脂、樹脂エマルションなどの任意成分を本発明の効果を損なわない範囲で適宜含有せしめることができる。
【００２７】
用いることができる界面活性剤としては、例えば、ソルビタン脂肪酸エステル、グリセリン脂肪酸エステル、デカグリセリン脂肪酸エステル、ポリグリセリン脂肪酸エステル、ポリオキシエチレンソルビタン脂肪酸エステル、ポリオキシエチレンソルビット脂肪酸エステル、ポリオキシエチレングリセリン脂肪酸エステル、ポリエチレングリコール脂肪酸エステル、ポリオ キシエチレンアルキルエーテル、ポリオキシエチレンポリオキシプロピレンアルキルエーテル、ポリオキシエチレンアルキルフェニルエーテル、ポリオキシエチレンヒマシ油、ポリオキシエチレンラノリン・ラノリン・アルコール・ミツロウ誘導体、ポリオキシエチレンアルキルアミン・脂肪酸アミドなどの非イオン性界面活性剤；、アルキル硫酸塩、ポリオキシエチレンアルキルエーテル硫酸塩、Ｎ‐アシルアミノ酸塩、Ｎ‐アシルメチルタウリン塩、ポリオキシエチレンアルキルエーテル酢酸塩、α‐オレフィンスルホン酸塩、アルキルリン酸塩、ポリオキシエチレンアルキルエーテルリン酸塩などの陰イオン性界面活性剤；、パーフルオロアルキルエチレンオキサイド付加物、パーフルオロアルキルトリメチルアンモニウム塩、パーフルオロアルキルカルボン酸塩、フッ素化アルキルエステル、パーフルオロアルキルスルホン酸塩、パーフルオロアルキル基親水性基含有オリゴマー、パーフルオロアルキル基親水性基含有ウレタン、パーフルオロアルキルリン酸エステル、パーフルオロアルキルベタイン、パーフルオロアルキルアミンオキサイド、パーフルオロアルキルアンモニウム 塩、パーフルオロアルキルアルコキシレート、パーフルオロアルキルポリオキシエチレンエタノールなどのフッ素系界面活性剤を挙げることができる。これらの界面活性剤は、一種もしくは二種以上を混合して使用することができる。
また、防腐剤もしくは防菌剤としては、フェノール、ナトリウムオマジン、安息香酸ナトリウム、ベンズイミダゾール系化合物などが挙げられる。
ｐＨ調整剤としては、水酸化ナトリウム、水酸化カリウム、水酸化リチウム等のアルカリ金属の水酸化物、トリエタノールアミン、ジエタノールアミン、モノエタノールアミン、ジメチルエタノールアミン、モルホリン、トリエチルアミン等のアミン化合物、アンモニア等が挙げられる。
水溶性樹脂としては、例えば、ポリアクリル酸、水溶性スチレン −アクリル樹脂、水溶性スチレン・マレイン酸樹脂、水溶性マレイン酸樹脂、水溶性スチレン樹脂、ポリビニルピロリドン、ポリビニルアルコ−ル、水溶性エステル−アクリル樹脂、エチレン−マレイン酸共重合体、ポリエチレンオキサイド、水溶性ウレタン樹脂等などが挙げられる。
樹脂エマルションとしては、例えば、アクリル系エマルション、酢酸ビニル系エマルション、ウレタン系エマルション、スチ レン−ブタジエンエマルション、スチレンアクリロニトリルエマルションなどが挙げられる。
これらの水溶性樹脂および樹脂エマルションは、一種もしくは二種以上を混合して使用することができる。
【００２８】
この筆記具用インク組成物を製造するには、従来から知られている方法が採用可能であり、例えば、着色剤と、トリメチルグリシンと、ペンタエリスリトールと、１０質量％以下の水溶性有機溶剤と、水とを少なくとも含み、水性における各成分などを所定量配合し、ホモミキサー、もしくはディスパー等の攪拌機により攪拌混合することによって得られる。更に必要に応じて、ろ過や遠心分離によってインク組成物中の粗大粒子を除去してもよく、また、脱泡、加熱、冷却しながら作製してもよいものである。
【００２９】
このように構成される本発明の筆記具に用いる筆記具用インク組成物が、何故、ペン先の乾燥を抑えながらも、描線の乾燥性、インクの低温安定性に優れ、描線に滲みや裏抜けのない機能を発現するのかは下記のように推測することができる。
すなわち、本発明の筆記具に用いる筆記具用インク組成物では、着色剤と、トリメチルグリシンと、ペンタエリスリトールと、１０質量％以下の水溶性有機溶剤と、水とを少なくとも含有することにより、共に、トリメチルグリシンと、ペンタエリスリトールとがペン先の耐乾燥性を抑える成分となるものであり、これらの各単独使用よりも、筆記具用水性インク組成中で併用することにより、相乗的に作用していることは明らかである。その理由は必ずしも明らかではないが、相乗効果によりペン先の乾燥を抑えながらも、描線の乾燥性、インクの低温安定性に優れ、描線に滲みや裏抜けのない優れた性能を発揮せしめるものと推測される。
本発明に用いる筆記具用インク組成物は、上記効果を発揮せしめる持続効果が極めて優れており、しかも、その効果の発現期間・持続時間も長く、更にトリメチルグリシンとペンタエリスリトールは水溶性であるために経時的な安定性にも優れたものとなる。
【００３０】
これらのインクは、インク配合成分種、各配合量を調整することなどにより、インク粘度（２５℃：コンプレート型粘度計）１〜５ｍＰａ・ｓ、表面張力３０〜６０ｍＮ／ｍ、ペン先２０、２０からのインク流出量Ｘを５〜２０ｍｇ／ｍとすることが好ましい。インク流出量の測定は、自動筆記装置にペン体をセットして、ＪＩＳ  Ｓ６０３７に従い、上質紙面上で筆記角度６５°、筆記力１Ｎ、速度７ｃｍ／ｓでのものである。
なお、用いる筆記具用インク組成物に熱変色性顔料を用いたインク組成物とした場合は、ＪＩＳ  Ｓ  ６０５０−２００２に規定する鉛筆描線の消し能力（消字率）が７０％以下、かつ、ＪＩＳ  Ｋ６２５３に準拠したデュロメータ硬度Ｄ２０〜Ｄ７０の熱可塑性エラストマーをキャップ６０の頂部に形成し、擦過動作により摩擦熱を発生容易かつ低摩耗な摩擦体とすることができる。
【００３１】
各ペン先２０、２０は、図１、図２、並びに、図３（ａ）、（ｂ）、図４（ａ）〜（ｈ）に示すように、少なくとも、筆記部３０、３０と、視認部を有する保持体４０、４０と、インク収容室１１、１２のインクを筆記部３０、３０へ誘導するインク誘導芯２５、２５とから構成されている。
この各インク誘導芯２５は、後述する保持体４０を介して筆記部３０に形成された挿入穴に当接する構造となるものである。
【００３２】
本発明における各インク誘導芯２５は、繊維束芯又はプラスチック芯から構成されるものであり、インク吸蔵体１５、１６のインクを各筆記部３０へ効率よく、流出せしめるものであれば、その材質、構造、製法等は、特に限定されるものではなく、例えば、天然繊維、獣毛繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種又は２種以上の組み合わせからなる平行繊維束、フェルト等の繊維束を加工又はこれらの繊維束を樹脂加工した繊維束芯、または、上記各種のプラスチック材の軸方向にインク溝を形成したプラスチック芯、上記各種のプラスチック粉末などを融結したポーラス体などからなるインク誘導芯が挙げられ、その形態も板状体、繊維集束体、焼結体、発泡体等任意である。
【００３３】
用いる繊維束芯又はプラスチック芯からなるインク誘導芯２５、２５の形状は、棒状等、その横断面の形状も円形、楕円形、三角形、四角形などの多角形状等、特に限定されるものではない。本実施形態では、円柱状となっている。好ましくは、筆記部３０へ当接する側は、インク流出性を更に向上させる点から、その先端部を尖らせていることが好ましく、更に好ましくは、インク吸蔵体１５，１６側の先端部も尖らせていることが望ましい。
また、インク誘導芯２５として繊維束芯を使用した場合は、気孔率で３０〜７５％、スリット径で概ね１〜２０μｍのものが望ましく、また、プラスチック芯を使用した場合は、好ましく、平均スリット径で２０〜４０μｍのものが望ましい。なお、上記気孔率及びスリット径は、インク種などに応じて、変動することができ、上記数値範囲に限定されるものではない。
なお、本発明において、「気孔率」は、下記のようにして算出される。まず、既知の質量及び見掛け体積を有するインク誘導芯を水中に浸し、十分に水を浸み込ませた後、水中から取り出した状態で質量を測定する。測定した質量から、インク誘導芯に浸み込ませた水の体積が導出される。この水の体積をインク誘導芯の気孔体積と同一として、下記式から、気孔率が算出される。
気孔率（単位：％）＝（水の体積）／（インク誘導芯の見掛け体積）×１００
また、上記スリット径は、下記式により算出したものである。
スリット径＝気孔率×糸の半径／（１−気孔率）
【００３４】
インク誘導芯２５の大きさなどは、保持体４０への取り付け態様、視認部４３の視認部面積の最大化、インクを効率よく筆記部へ流出（供給）せしめる点等から設定されるものであり、好ましくは、インク誘導芯２５の横断面の面積は、０．２〜３．０ｍｍ２、長手方向長さは、２〜４０ｍｍであることが好ましい。
【００３５】
筆記部３０は、多孔体から構成されるものであり、例えば、気孔を有する多孔質で形成されたものが挙げられ、具体的には、スポンジ体、焼結体、繊維束体、発泡体、海綿体、フェルト体、ポーラス体などを挙げることができる。多孔体を形成する材料としては、例えば、天然繊維、獣毛繊維、ポリアセタール系樹脂、ポリエチレン系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などを用いることができる。好ましくは、強度、インク流出の安定性の点から、燒結体から構成されるものが望ましい。本実施形態では、各種のプラスチック粉末などを焼結した焼結体から構成されている。
【００３６】
この筆記部３０は、図１〜図４及び図６（ａ）〜（ｈ）に示すように、筆記しやすい傾きとなるように、傾斜状（ナイフカット状）となっており、この傾き等は、筆記等の使い勝手に合わせて適宜設定される。また、この筆記部３０は、描線幅Ｗが太いものであり、好ましくは、描線幅Ｗは１ｍｍ以上、更に好ましくは、描線幅Ｗは２ｍｍ以上の描線幅となる筆記部が望ましい。また、この筆記部３０では、好適な描線濃度となるように最適な気孔率が設定されている。
また、筆記部３０の底面側３１に、筆記部３０の非中心位置となる一方の端部側３１ａに、インク誘導芯２５の尖端部２６の一部又は全部を内包する挿入穴３２が予め形成されている。挿入穴３２の形状は、インク誘導芯２５の尖端部２６の一部又は全部の形状に合致（内包）する形状となって、インク誘導芯２５の尖端部２６の一部又は全部と当接する構造となっており、この当接（毛管連結）によりインク流量を高め、かつインク流量のバラツキを抑えるものとなっている。本実施形態では、インク誘導芯２５の尖端部２６の全部を挿入穴３２に内包されている。
【００３７】
保持体４０は、図３〜図５に示すように、上記インク誘導芯２５を保持体内部に配置すると共に、筆記部３０を固定して、筆記具本体１０の先軸１５、１６先端開口部に固着されるものであり、膨出状の本体部４１と、該本体部４１の前方側に、フランジ部４２と、筆記方向を視認することができる視認部（可視部）４３とを有すると共に、視認部４３の先端側に筆記部３０の先端側（端面）を保持する前方保持部４４ａ，４４ｂと、ストッパーとなる保持止め部４４ｃとを有するものである。また、本体部４１の幅方向外周面には、凹状の嵌合部４１ａが形成され、長手方向外周面となる両面空気流通溝には、それぞれ直線状の空気流通溝４１ｂと屈曲状の空気流通溝４１ｃが形成されている。上記本体部４１の後方側に、上記本体部４１に連設される後方部４５とを備え、この本体部４１と後方部４５の上面側に凹状溝４６が形成されている。
更に、この保持体４０内部には、上述のインク誘導芯２５を挿通する挿通孔４７が視認部４３の視認面積の最大化を図る点から、保持体４０の一方の端側に配置される構造となっており、この挿通孔４７にインク誘導芯２５が挿通される構造となっている。
なお、図１（ｂ）、図２（ｃ）の左側に示すペン先２０は、図３〜図５のペン先２０を示すものであるが、図１（ｂ）、図２（ｃ）の右側に示すペン先２０は視認が異なる使い方ができるという理由から、インク誘導芯２５の位置を変更、具体的には、凹状溝４６側に挿通孔４６を形成し、この挿通孔４６に沿う筆記部２０に挿入孔３２を形成している。
【００３８】
このように構成される保持体４０全体は、硬質材料で構成されており、例えば、視認性を有する硬質材料、例えば、金属、ガラス、ゴム弾性を有しない樹脂などから構成されるものである。視認可能となるゴム弾性を有しない樹脂としては、例えば、ＰＰ、ＰＥ、ＰＥＴ、ＰＥＮ、ナイロン（６ナイロン、１２ナイロン等の一般的なナイロン以外に非晶質ナイロン等を含む）、アクリル、ポリメチルペンテン、ポリスチレン、ＡＢＳ、ポリカーボネート等の可視光線透過率が５０％以上の材料から成形により構成することにより、視認部４３で筆記方向に書いてある文字を有効に視認できることとなる。なお、視認部４３だけを視認性を有する材料で構成してもよい。なお、可視光線透過率は多光源分光測色計〔スガ試験機社製、（ＭＳＣ−５Ｎ）〕にて反射率を測定することで求めることができる。
また、保持体４０は、上記各材料の一種類、または、耐久性、視認性の更なる向上の点などから、２種類以上の材料を用いて構成してもよく、射出成形、ブロー成形などの各種成形法や切削加工等により成形することができる。
【００３９】
この筆記具Ａにおいて、上記筆記部３０の保持体４０への固着（装着）は、前方保持部４４ａ，４４ｂ間、保持止め４１ｃで上記筆記芯３０を嵌入保持、更に、筆記部３０の固着（抜け止め）を確実にするために、接着剤による接着、溶着などを更に用いても良いものである。
【００４０】
このように構成される筆記具Ａでは、筆記具本体１０のそれぞれのインク収容室１１、１２内に筆記具用インクを吸蔵したインク吸蔵体１５、１６を挿入して保持せしめ、それぞれの先端側は先軸１７、１８を介して上記構成のペン先２０、２０を順次嵌合等により固着せしめることにより、簡単に２色のペン先を有するツインタイプの筆記具Ａを作製することができ、インク吸蔵体１５、１６に吸蔵されたインクはインク吸蔵体１５、１６からインク誘導芯２５，２５を介して毛管連結による毛管力により挿入孔３２を通じて筆記部３０、３０に効率的にかつ安定的なインク流出量で供給されて、筆記に供されるものとなる。
【００４１】
この筆記具Ａでは、各ペン先２０の機能等を以下に説明する。
この筆記具Ａの各ペン先２０は、図１、図２に示すように、筆記方向を視認することができる視認部（窓部）４３を有するものであり、インク吸蔵体１５、１６のインクはインク誘導芯２５、２５の毛細力、すなわち、各保持体４０の挿通孔４７に挿通されたインク誘導芯２５、２５により、インク吸蔵体１５、１６の各インクは保持体４０内に形成した挿通孔４７に配置されたインク誘導芯２５の後端面側から流入し、先端面２６へ流出し、毛管連結した筆記部３０の挿入孔３２を介して筆記側まで到達し、筆記に供されるものとなる。筆記の際に、視認部（窓部）４３で視認側を見れば、ひき始めの位置を合わせやすくなり、また、引き終わりの止めたい部分でピタッと止めることができ、引きすぎや、はみ出しを防ぐことができるものとなる。
【００４２】
本発明では、ペン先２０は、インク吸蔵体１５、１６からのインクの誘導を筆記部３０の厚さよりも薄く、流出性のある毛管力を有するインク誘導芯２５、２５で毛管連結による毛管力により筆記部３０までインク流出量を安定的に誘導するものであり、また、各インク誘導芯２５は、筆記部３０の非中心位置で、かつ、保持体４０内部の端側に配置されているので、ペン先２０全体に対する視認部４３の最大化と良好なインク流出量を発揮でき、視認部４３も見やすいので、右利きで左から右方向に筆記する際に、視認部４３で筆記方向を視認しながら筆記部３０で描線を引くことなどができ、また、ペン先全体に対する視認部の有効面積の最大化と共に、上記インク誘導芯２５により筆記部３０へ効率よくインクが供給され、そのインク流出量も良好で有り、視認部の有効面積の最大化とインク流出量の安定化を高度に両立できる筆記具が得られるものとなる。
また、この筆器具Ａは、インク流出性が良好であるので、ペン先２０の移動速度を速くして筆記しても、インクの供給は良好に追従し、筆跡のカスレ等を生じることがない筆記具が得られることなる。
【００４３】
本発明の筆記具は、上記実施形態などに限定されることなく、本発明の技術思想を変更しない範囲内で種々変更することができる。
上記実施形態では、両頭式の筆記具を示したが、一方のペン先２０を省略（軸筒を有底筒状の軸体と）して、ペン先２０を備えたシングルタイプの筆記具としてもよいものであり、また、ノック式によりペン先２０が出没する筆記具であってもよいものである。
【００４４】
上記図１〜図６の実施形態では、筆記具本体の軸筒などの断面を円形軸に形成したが、三角形状、四角形以上の方形状などの異形形状、楕円形状にしてもよいものである。また、ペン先２０全体を透明な部材で構成する場合を示したが、少なくとも視認部４３が透明な部材で構成され、筆記具本体内の取り付けられる本体部４１側を透明な部材以外の樹脂部材で二色成形品となったものを用いてペン先２０を構成してもよいものである。
【実施例】
【００４５】
次に、実施例により、本発明を更に詳述するが、本発明は下記実施例に限定されるものではない。
【００４６】
〔実施例１〕
下記構成及び図１〜図６に準拠するペン先を有する筆記具、下記組成の筆記具用インクを使用した。ペン先の寸法等は下記に示す大きさ等を使用した。
【００４７】
（ペン先２０、２０の構成：同一形状）
アクリル樹脂製、可視光線透過率８５％〔スガ試験機社製、多光源分光測色計（ＭＳＣ−５Ｎ）にて反射率を測定し、可視光線透過率とした。〕
視認部（窓部）４３（略四角形）の大きさ：６ｍｍ×６ｍｍ×７ｍｍ×６ｍｍ
視認部４３の幅Ｍ：２．５ｍｍ
挿通孔４７形状：φ１．５×１４ｍｍ
【００４８】
インク誘導芯２５：ポリエステル製繊維束芯、気孔率：６０％、φ１．５×２０ｍｍ、両側先形状：尖らせている（先端角６０度）
筆記部３０：ポリエチレン製焼結芯、気孔率：５０％、４×３×６ｍｍ、Ｔ＝３ｍｍ、Ｗ＝５．５ｍｍ、挿入孔３２形状：インク誘導芯２５の先端形状に沿う
【００４９】
インク吸蔵体１５：ＰＥＴ繊維束、気孔率８５％、φ７．０×２５ｍｍ
インク吸蔵体１６：ＰＥＴ繊維束、気孔率８５％、φ７．０×２５ｍｍ
筆記具本体１０、キャップ６０、７０：ポリプロピレン（ＰＰ）製
【００５０】
（筆記具用インク組成物Ａ：インク色：蛍光黄色、インク吸蔵体１５）
筆記具用インクとして、下記組成のインク（合計１００質量％）を使用した。
保湿剤：トリメチルグリシン（グリシンベタイン）                    ７．５質量％
ペンタエリスリトール                                      ４．５質量％
着色剤：NKW-3905E黄（日本蛍光社製）                              ４０．０質量％
防腐剤：バイオエース（ケイアイ化成社製）                          ０．３質量％
ｐＨ調整剤：トリエタノールアミン                                  １．０質量％
フッ素系界面活性剤：サーフロン8111N（ＡＧＣセイミケミカル社製）   ０．２質量％
水溶性有機溶剤：エチレングリコール                                ３．０質量％
水（溶媒）：イオン交換水                                        ４３．５質量％
粘度（２５℃）：３．０ｍＰａ・ｓ（コンプレート型粘度計、ＴＯＫＩＭＥＣ社製、ＴＶ−２０）
表面張力（２５℃）：３３ｍＮ／ｍ（自動表面張力計、協和界面科学社製、ＤＹ−３００）
【００５１】
（筆記具用インク組成物Ｂ：インク色：蛍光ピンク色、インク吸蔵体１６）
上記筆記具用インク組成物Ａの組成において、着色剤：NKW-3905E黄（日本蛍光社製）４０．０質量％をNKW-3907E桃に同量代えて、筆記具用インク組成物Ｂ：インク色：蛍光ピンク色とした。
粘度（２５℃）：３．０ｍＰａ・ｓ（コンプレート型粘度計、ＴＯＫＩＭＥＣ社製、ＴＶ−２０）
表面張力（２５℃）：３３ｍＮ／ｍ（自動表面張力計、協和界面科学社製、ＤＹ−３００）
【００５２】
この図１〜図６準拠の実施例１のペン先２０、２０を用いた筆記具では、インク吸蔵体１５、１６からのインクはインク誘導芯２５、２５の毛細力、すなわち、各保持体４０の挿通孔４７に挿通されたインク誘導芯２５、２５により、インク吸蔵体１５、１６の各インクは各保持体４０内に形成したインク誘導芯２５、２５の後端面側から流入し、先端面２６へ流出し、毛管連結した筆記部３０の挿入孔３２を介して筆記側まで到達することが確認できた。本実施形態の筆記具におけるペン先２０は、インク吸蔵体１５、１６からのインクの誘導を、流出性のある毛管力を有するインク誘導芯２５、２５で毛管連結による毛管力により筆記部３０までインク流出量を安定的に誘導するものであり、また、各インク誘導芯２５は、筆記部３０の非中心位置で、かつ、保持体４０内部の端側に配置されているので、ペン先２０全体に対する視認部４３の最大化と安定したインク流出を発揮できるので、右利きで左から右方向に筆記する際に、視認部４３で筆記方向を視認しながら各筆記部３０で描線を引くことなどができる。
【００５３】
更に、自動筆記装置にこの筆記具をセットして、ＪＩＳ  Ｓ６０３７に準拠した試験方法に従い、上質紙面上で筆記角度６５°、筆記荷重１Ｎ、速度７ｃｍ／ｓで直線筆記後、筆記した描線状態を目視にて確認したところ、上記好ましいインク組成のものを使用しているため、ペン先２０のインク流量（１５ｍｇ／ｍ）も良好で、ペン先の乾燥を抑えながらも、描線の乾燥性、インクの低温安定性に優れ、描線に滲みや裏抜けのない機能を発現することが判った。
【００５４】
〔実施例２〕
実施例１において、インク誘導芯２５を下記構成に変更した以外は、上記実施例１と同様にして図１〜図６に準拠する筆記具を作製した。
インク誘導芯２５：ポリアセタール製プラスチック芯、気孔率：３０％、φ１．５×２０ｍｍ、両側先形状：尖らせている（先端角６０度）
この筆記具においても、上記実施例１と同様にインク吸蔵体１５、１６からインクをインク誘導芯２５を介して筆記部３０までインク流出量が安定的に供給でき、また、ペン先２０全体に対する視認部４３の最大化と良好なインク流出量を発揮でき、視認部４３も見やすいので、右利きで左から右方向に筆記する際に、視認部４３で筆記方向を視認しながら各筆記部３０で描線を引くことなどができ、また、ペン先全体に対する視認部の有効面積の最大化と共に、上記インク誘導芯２５により筆記部３０へ効率よくインクが供給され、そのインク流出量も良好で有り、視認部の有効面積の最大化とインク流出量の安定化を高度に両立できる筆記具が得られることが確認できた。更に、自動筆記装置にこの筆記具をセットして、ＪＩＳ  Ｓ６０３７に準拠した試験方法に従い、上質紙面上で筆記角度６５°、筆記荷重１Ｎ、速度７ｃｍ／ｓで直線筆記後、筆記した描線状態を目視にて確認したところ、上記好ましいインク組成のものを使用しているため、ペン先２０のインク流量（１５ｍｇ／ｍ）も良好で、ペン先の乾燥を抑えながらも、描線の乾燥性、インクの低温安定性に優れ、描線に滲みや裏抜けのない機能を発現することが判った。
【産業上の利用可能性】
【００５５】
本発明のペン先では、アンダーラインペン、ペイントマーカー、油性マーカー、水性マーカーと呼ばれる所謂マーキングタイプの筆記具に用いるペン先として好適に適用することができる。
【符号の説明】
【００５６】
１０  筆記具本体
２０  ペン先
２５  インク誘導芯
３０  筆記部
３２  挿入孔
４０  保持体
４３  視認部
４７  挿通孔
【図１】
2019206151.tif 000003
【図２】
2019206151.tif 000004
【図３】
2019206151.tif 000005
【図４】
2019206151.tif 000006
【図５】
2019206151.tif 000007
【図６】
2019206151.tif 000008